(57)【要約】【課題】  画像供給装置から印刷装置に画像データを送信して印刷させる場合、印刷装置のCapabilityに則した印刷までは要求しない場合も考えられる。【解決手段】  通信インターフェースを介して画像供給装置と通信を開始したことに応じて、印刷装置が対応可能な複数の印刷条件の一覧を記述したcapability情報を画像供給装置に送信することなく画像供給装置からの印刷ジョブを受信可能な状態へ移行し、その後、画像供給装置からの要求を受けたことに応じて、画像供給装置に対してcapability情報を送信し、そのcapability情報に基づき設定された印刷ジョブを受信する。そしてcapability情報を送信することなく前記印刷ジョブを受信した場合には、印刷装置で予め決められている印刷条件に基づいて印刷を行い、capability情報を送信後に印刷ジョブを受信した場合には、capability情報に記述されている機能であって、印刷ジョブに設定されている印刷条件に基づいて印刷を実行する。【選択図】  図１３
2011005863.tif 000002
【特許請求の範囲】
【請求項１】
画像供給装置と通信して、前記画像供給装置から供給される画像データを印刷する印刷装置であって、
前記画像供給装置と通信するための通信インターフェースと、
前記通信インターフェースを介して前記画像供給装置と通信を開始したことに応じて、前記印刷装置が対応可能な複数の印刷条件の一覧を記述したcapability情報を前記画像供給装置に送信することなく、前記画像供給装置からの印刷ジョブを受信可能な状態へ移行し、その後、前記画像供給装置からの要求を受けたことに応じて、前記画像供給装置に対してcapability情報を送信し、前記capability情報に基づき設定された印刷ジョブを受信する通信制御手段と、
前記capability情報を送信することなく前記印刷ジョブを受信した場合には、前記印刷装置で予め決められている印刷条件に基づいて印刷を行い、前記capability情報を送信後に前記印刷ジョブを受信した場合には、前記capability情報に記述されている機能であって、前記印刷ジョブに設定されている印刷条件に基づいて印刷を実行する印刷制御手段と、
を有することを特徴とする印刷装置。
【請求項２】
前記通信インターフェースは、ＵＳＢインターフェースを用いて、ＰＴＰプロトコルで通信を行い、前記ＵＳＢインターフェース上で前記印刷装置はホストで、前記画像供給装置がスレーブであることを特徴とする請求項１に記載の印刷装置。
【請求項３】
前記capability情報は、前記印刷装置が対応可能なレイアウト情報であって、１枚の用紙にレイアウトする画像の数に関する情報を含むことを特徴とする請求項１又は２に記載の印刷装置。
【請求項４】
前記capability情報を送信することなく受信する前記印刷ジョブは、印刷対象を指定する画像指定情報を含み、前記capability情報を送信後に受信する前記印刷ジョブには、印刷対象を指定する画像指定情報と前記capability情報に基づき前記画像供給装置で設定した印刷条件とを含んでいることを特徴とする請求項１乃至３のいずれか１項に記載の印刷装置。
【請求項５】
画像供給装置と通信するための通信インターフェースを有し、前記画像供給装置と通信して、当該画像供給装置から供給される画像データを印刷する印刷装置の制御方法であって、
前記通信インターフェースを介して前記画像供給装置と通信を開始したことに応じて、前記印刷装置が対応可能な複数の印刷条件の一覧を記述したcapability情報を前記画像供給装置に送信することなく、前記画像供給装置からの印刷ジョブを受信可能な状態へ移行し、その後、前記画像供給装置からの要求を受けたことに応じて、前記画像供給装置に対してcapability情報を送信し、前記capability情報に基づき設定された印刷ジョブを受信する通信制御工程と、
前記capability情報を送信することなく前記印刷ジョブを受信した場合には、前記印刷装置で予め決められている印刷条件に基づいて印刷を行い、前記capability情報を送信後に前記印刷ジョブを受信した場合には、前記capability情報に記述されている機能であって、前記印刷ジョブに設定されている印刷条件に基づいて印刷を実行する印刷制御工程と、
を有することを特徴とする印刷装置の制御方法。
【請求項６】
前記通信インターフェースは、ＵＳＢインターフェースを用いて、ＰＴＰプロトコルで通信を行い、前記ＵＳＢインターフェース上で前記印刷装置はホストで、前記画像供給装置がスレーブであることを特徴とする請求項５に記載の印刷装置の制御方法。
【請求項７】
前記capability情報は、前記印刷装置が対応可能なレイアウト情報であって、１枚の用紙にレイアウトする画像の数に関する情報を含むことを特徴とする請求項５又は６に記載の印刷装置の制御方法。
【請求項８】
前記capability情報を送信することなく受信する前記印刷ジョブは、印刷対象を指定する画像指定情報を含み、前記capability情報を送信後に受信する前記印刷ジョブには、印刷対象を指定する画像指定情報と前記capability情報に基づき前記画像供給装置で設定した印刷条件とを含んでいることを特徴とする請求項５乃至７のいずれか１項に記載の印刷装置の制御方法。
【発明の詳細な説明】
【技術分野】
【０００１】
本発明は、印刷装置とその制御方法に関するものである。
【背景技術】
【０００２】
近年、簡単な操作で画像を撮影して、その撮影した画像をデジタル画像データに変換できるデジタルカメラ（撮像装置）が広く使用されるようになってきている。このようなカメラで撮影した画像を印刷して写真として使用する場合には、通常、一旦、その撮影した画像のデジタル画像データを、デジタルカメラからＰＣ（コンピュータ）に取り込み、そのＰＣで画像処理を行った後、そのＰＣからカラープリンタに出力して印刷するのが一般的である。
【０００３】
これに対して最近は、ＰＣを介することなく、直接、デジタルカメラからカラープリンタにデジタル画像データを伝送して印刷することができるカラープリントシステムや、デジタルカメラに搭載され、撮像した画像を記憶しているメモリカードを、直接、カラープリンタに装着し、そのメモリカードに記憶されている、撮影された画像を印刷できる、所謂フォトダイレクト（ＰＤ）プリンタ等も開発されている。
【発明の概要】
【発明が解決しようとする課題】
【０００４】
特に、デジタルカメラから直接プリンタに画像データを伝送して印刷する場合は、デジタルカメラは各メーカごとにその仕様や操作方法などが異なっているため、各種メーカのデジタルカメラに対応できるフォトダイレクトプリンタ装置の出現が望まれていた。また、このようなフォトダイレクトプリンタ装置は、上記説明したデジタルカメラ以外にも、例えば、携帯電話やＰＤＡそれ以外の各種デバイスからの画像データを受信して印刷することが考えられ、またプリンタ自体の機能も種々であるため、互いのCapabilityが予測できず、互いの機能情報の交換が必須になる。
【０００５】
しかし、このような互いの機能情報の交換ができない場合には、その印刷が不可能になることが考えられる。またデジタルカメラのユーザにとっては、単に画像の印刷だけができれば良く、プリンタのCapabilityに則した印刷までは要求しない場合も考えられる。
【０００６】
本発明は上記従来例に鑑みてなされたもので、印刷装置が対応可能な複数の印刷条件の一覧を記述したcapability情報を送信することなく印刷する印刷モードと、capability情報を送信した後、受信した印刷ジョブに従って印刷する印刷モードとを有する印刷装置及びその制御方法を提供することを目的とする。
【課題を解決するための手段】
【０００７】
上記目的を達成するために本発明の印刷装置は以下のような構成を備える。即ち、
画像供給装置と通信して、前記画像供給装置から供給される画像データを印刷する印刷装置であって、
前記画像供給装置と通信するための通信インターフェースと、
前記通信インターフェースを介して前記画像供給装置と通信を開始したことに応じて、前記印刷装置が対応可能な複数の印刷条件の一覧を記述したcapability情報を前記画像供給装置に送信することなく、前記画像供給装置からの印刷ジョブを受信可能な状態へ移行し、その後、前記画像供給装置からの要求を受けたことに応じて、前記画像供給装置に対してcapability情報を送信し、前記capability情報に基づき設定された印刷ジョブを受信する通信制御手段と、
前記capability情報を送信することなく前記印刷ジョブを受信した場合には、前記印刷装置で予め決められている印刷条件に基づいて印刷を行い、前記capability情報を送信後に前記印刷ジョブを受信した場合には、前記capability情報に記述されている機能であって、前記印刷ジョブに設定されている印刷条件に基づいて印刷を実行する印刷制御手段と、を有することを特徴とする。
上記目的を達成するために本発明の印刷装置の制御方法は以下のような工程を備える。即ち、
画像供給装置と通信するための通信インターフェースを有し、前記画像供給装置と通信して、当該画像供給装置から供給される画像データを印刷する印刷装置の制御方法であって、
前記通信インターフェースを介して前記画像供給装置と通信を開始したことに応じて、前記印刷装置が対応可能な複数の印刷条件の一覧を記述したcapability情報を前記画像供給装置に送信することなく、前記画像供給装置からの印刷ジョブを受信可能な状態へ移行し、その後、前記画像供給装置からの要求を受けたことに応じて、前記画像供給装置に対してcapability情報を送信し、前記capability情報に基づき設定された印刷ジョブを受信する通信制御工程と、
前記capability情報を送信することなく前記印刷ジョブを受信した場合には、前記印刷装置で予め決められている印刷条件に基づいて印刷を行い、前記capability情報を送信後に前記印刷ジョブを受信した場合には、前記capability情報に記述されている機能であって、前記印刷ジョブに設定されている印刷条件に基づいて印刷を実行する印刷制御工程と、を有することを特徴とする。
【発明の効果】
【０００８】
本発明によれば、画像供給装置と通信を開始したことに応じて、印刷装置が対応可能な複数の印刷条件の一覧を記述したcapability情報を画像供給装置に送信することなく印刷ジョブを受信可能な状態へ移行し、画像供給装置からの要求を受けたことに応じて、capability情報に基づいて設定された印刷ジョブを受信して印刷を実行できるという効果がある。
【図面の簡単な説明】
【０００９】
【図１】本発明の実施の形態に係るＰＤプリンタ装置の概観斜視図である。
【図２】本実施の形態に係るＰＤプリンタ装置の操作パネルの概観図である。
【図３】本実施の形態に係るＰＤプリンタ装置の制御に係る主要部の構成を示すブロック図である。
【図４】本実施の形態に係るＰＤプリンタ装置のＡＳＩＣの構成を示すブロック図である。
【図５】本実施の形態に係るＰＤプリンタ装置とデジタルカメラとの接続を説明する図である。
【図６】本実施の形態に係るＮＣＤＰを実装したＰＤプリンタ装置とデジタルカメラのソフトウェア構成を説明する概念図である。
【図７】本実施の形態に係るＮＣＤＰ通信手順の概要を説明する図である。
【図８】本実施の形態に係るＮＣＤＰにおけるコマンドを説明する図である。
【図９】本実施の形態に係るＮＣＤＰにおける「基本手順」による印刷手順を説明する図である。
【図１０】本実施の形態に係るＮＣＤＰにおける「推奨手順」による印刷手順を説明する図である。
【図１１】本実施の形態に係るＮＣＤＰにおける「推奨手順」におけるエラー発生時の印刷手順を説明する図である。
【図１２】本実施の形態に係るＮＣＤＰで送信されるCapabilityの一例を説明する図である。
【図１３】本実施の形態に係るＮＣＤＰ通信手順の概要を説明するフローチャートである。
【図１４】ＮＣＤＰ手順の開始を指示する命令（NCDPStart）をＰＴＰアーキテクチャを用いて実現した例を説明する図である。
【図１５】ＮＣＤＰ手順において、カメラから各手順への移行命令を受取る（ProcedureStart）手順をＰＴＰアーキテクチャを用いて実現した例を説明する図である。
【図１６】ＮＣＤＰ手順の終了を指示する命令（NCDPEnd）をＰＴＰアーキテクチャを用いて実現した例を説明する図である。
【図１７】ＮＣＤＰ手順においてＰＤプリンタ装置からカメラに対してCapabilityを送信する命令（Capability）をＰＴＰアーキテクチャを用いて実現した例を説明する図である。
【図１８】ＮＣＤＰ手順において、ＰＤプリンタ装置からカメラに保持されている画像ファイルを取得する命令（GetImge）の手順をＰＴＰアーキテクチャを用いて実現した例を説明する図である。
【図１９】ＮＣＤＰ手順において、ＰＤプリンタ装置からカメラに対してエラーステータスを送信する命令（StatusSend）の手順をＰＴＰアーキテクチャを用いて実現した例を説明する図である。
【図２０】ＮＣＤＰ手順において、ＰＤプリンタ装置からカメラに対して１ページの印刷終了を送信する命令（PageEnd）の手順をＰＴＰアーキテクチャを用いて実現した例を説明する図である。
【図２１】ＮＣＤＰ手順において、ＰＤプリンタ装置からカメラに対して印刷ジョブの終了命令（JobEnd）を発行する手順をＰＴＰアーキテクチャを用いて実現した例を説明する図である。
【図２２】ＮＣＤＰ手順において、カメラからＰＤプリンタ装置に対して印刷命令の発行（JobStart）する手順をＰＴＰアーキテクチャを用いて実現した例を説明する図である。
【図２３】ＮＣＤＰ手順において、カメラからＰＤプリンタ装置に対して印刷の中止命令（JobAbort）を発行する手順をＰＴＰアーキテクチャを用いて実現した例を説明する図である。
【図２４】ＮＣＤＰ手順において、カメラからＰＤプリンタ装置に対して印刷再開命令（JobContinue）を発行する手順をＰＴＰアーキテクチャを用いて実現した例を説明する図である。
【図２５】ProcedureStartコマンドで最初にＰＤプリンタ装置からＤＳＣに送られるスクリプトの例を示す図である。
【図２６】ProcedureStartコマンドでスクリプト１に引き続いてＤＳＣからＰＤプリンタ装置に送られるスクリプトの例を示す図である。
【図２７】「基本手順」時にJobStartコマンドでＤＳＣからＰＤプリンタ装置に送られるスクリプトの例１を示す図である。
【図２８】スクリプト４：「基本手順」時にJobStartコマンドでＤＳＣからＰＤプリンタ装置に送られるスクリプトの例２を示す図である。
【図２９】「推奨手順」時にJobStartコマンドでＤＳＣからＰＤプリンタ装置に送られるスクリプトを示す図である。
【発明を実施するための形態】
【００１０】
以下、添付図面を参照して本発明の好適な実施の形態を詳細に説明する。
【００１１】
図１は、本発明の実施の形態に係るフォトダイレクトプリンタ装置（以下、ＰＤプリンタ装置）１０００の概観斜視図である。このＰＤプリンタ装置１０００は、ホストコンピュータ（ＰＣ）からデータを受信して印刷する通常のＰＣプリンタとしての機能と、メモリカードなどの記憶媒体に記憶されている画像データを直接読取って印刷したり、或いはデジタルカメラからの画像データを受信して印刷する機能を備えている。
【００１２】
図１において、本実施の形態に係るＰＤプリンタ装置１０００の外殻をなす本体は、ケースＭ１００１、上ケース１００２、アクセスカバー１００３及び排出トレイ１００４の外装部材を有している。また、下ケース１００１は、ＰＤプリンタ装置１０００の略下半部を、上ケース１００２は本体の略上半部をそれぞれ形成しており、両ケースの組合せによって内部に後述の各機構を収納する収納空間を有する中空体構造をなし、その上面部及び前面部にはそれぞれ開口部が形成されている。更に、排出トレイ１００４は、その一端部が下ケース１００１に回転自在に保持され、その回転によって下ケース１００１の前面部に形成される開口部を開閉させ得るようになっている。このため、記録動作を実行させる際には、排出トレイ１００４を前面側へと回転させて開口部を開成させることにより、ここから記録シートが排出可能となると共に、排出された記録シートを順次積載し得るようになっている。また、排紙トレイ１００４には、２枚の補助トレイ１００４ａ，１００４ｂが収納されており、必要に応じて各トレイを手前に引き出すことにより、用紙の支持面積を３段階に拡大、縮小させ得るようになっている。
【００１３】
アクセスカバー１００３は、その一端部が上ケース１００２に回転自在に保持され、上面に形成される開口部を開閉し得るようになっており、このアクセスカバー１００３を開くことによって本体内部に収納されている記録ヘッドカートリッジ（不図示）あるいはインクタンク（不図示）等の交換が可能となる。なお、ここでは特に図示しないが、アクセスカバー１００３を開閉させると、その裏面に形成された突起がカバー開閉レバーを回転させるようになっており、そのレバーの回転位置をマイクロスイッチなどで検出することにより、アクセスカバーの開閉状態を検出し得るようになっている。
【００１４】
また、上ケース１００２の上面には、電源キー１００５が設けられている。また、上ケース１００２の右側には、液晶表示部１００６や各種キースイッチ等を備える操作パネル１０１０が設けられている。この操作パネル１０１０の構造は、図２を参照して詳しく後述する。１００７は自動給送部で、記録シートを装置本体内へと自動的に給送する。１００８は紙間選択レバーで、プリントヘッドと記録シートとの間隔を調整するためのレバーである。１００９はカードスロットで、ここにメモリカードを装着可能なアダプタが挿入され、このアダプタを介してメモリカードに記憶されている画像データを直接取り込んで印刷することができる。このメモリカード（ＰＣ）としては、例えばコンパクトフラッシュメモリ、スマートメディア、メモリスティック等がある。１０１１はビューワ（液晶表示部）で、このＰＤプリンタ装置１０００の本体に着脱可能であり、ＰＣカードに記憶されている画像の中からプリントしたい画像を検索する場合などに、１コマ毎の画像やインデックス画像などを表示するのに使用される。１０１２は後述するデジタルカメラを接続するためのＵＳＢ端子である。また、このＰＤ装置１０００の後面には、パーソナルコンピュータ（ＰＣ）を接続するためのＵＳＢコネクタが設けられている。
【００１５】
図２は、本実施の形態に係るＰＤプリンタ装置１０００の操作パネル１０１０の概観図である。
【００１６】
図において、液晶表示部１００６には、その左右に印刷されている項目に関するデータを各種設定するためのメニュー項目が表示される。ここに表示される項目としては、例えば、印刷したい範囲の先頭写真番号、指定コマ番号（開始コマ指定／印刷コマ指定）、印刷を終了した範囲の最後の写真番号（終了）、印刷部数（部数）、印刷に使用する用紙（記録シート）の種類（用紙種類）、１枚の用紙に印刷する写真の枚数設定（レイアウト）、印刷の品位の指定（品位）、撮影した日付を印刷するかどうかの指定（日付印刷）、写真を補正して印刷するかどうかの指定（画像補正）、印刷に必要な用紙枚数の表示（用紙枚数）等がある。これら各項目は、カーソルキー２００１を用いて選択、或いは指定される。２００２はモードキーで、このキーを押下する毎に、印刷の種類（インデックス印刷、全コマ印刷、１コマ印刷等）を切り替えることができ、これに応じてＬＥＤ２００３の対応するＬＥＤが点灯される。２００４はメンテナンスキーで、プリントヘッドのクリーニング等、プリンタのメンテナンスを行わせるためのキーである。２００５は印刷開始キーで、印刷の開始を指示する時、或いはメンテナンスの設定を確立する際に押下される。２００６は印刷中止キーで、印刷を中止させる時や、メンテナンスの中止を指示する際に押下される。
【００１７】
次に図３を参照して、本実施の形態に係るＰＤプリンタ装置１０００の制御に係る主要部の構成を説明する。尚、この図３において、前述の図面と共通する部分は同じ記号を付与して、それらの説明を省略する。
【００１８】
図３において、３０００は制御部（制御基板）を示している。３００１はＡＳＩＣ（専用カスタムＬＳＩ）を示し、その構成は図４のブロック図を参照して詳しく後述する。３００２はＤＳＰ（デジタル信号処理プロセッサ）で、内部にＣＰＵを有し、後述する各種制御処理及び、輝度信号（ＲＧＢ）から濃度信号（ＣＭＹＫ）への変換、スケーリング、ガンマ変換、誤差拡散等の画像処理等を担当している。３００３はメモリで、ＤＳＰ３００２のＣＰＵの制御プログラムを記憶するプログラムメモリ３００３ａ、及び実行時のプログラムを記憶するＲＡＭエリア、画像データなどを記憶するワークメモリとして機能するメモリエリアを有している。３００４はプリンタエンジンで、ここでは、複数色のカラーインクを用いてカラー画像を印刷するインクジェットプリンタのプリンタエンジンが搭載されている。３００５はデジタルカメラ（ＤＳＣ）３０１２を接続するためのポートとしてのＵＳＢコネクタである。３００６はビューワ１０１１を接続するためのコネクタである。３００８はＵＳＢハブ(USB HUB)で、このＰＤプリンタ装置１０００がＰＣ３０１０からの画像データに基づいて印刷を行う際には、ＰＣ３０１０からのデータをそのままスルーし、ＵＳＢ３０２１を介してプリンタエンジン３００４に出力する。これにより、接続されているＰＣ３０１０は、プリンタエンジン３００４と直接、データや信号のやり取りを行って印刷を実行することができる（一般的なＰＣプリンタとして機能する）。３００９は電源コネクタで、電源３０１９により、商用ＡＣから変換された直流電圧を入力している。ＰＣ３０１０は一般的なパーソナルコンピュータ、３０１１は前述したメモリカード（ＰＣカード）、３０１２はデジタルカメラ（ＤＳＣ：Digital Still Camera)である。
【００１９】
尚、この制御部３０００とプリンタエンジン３００４との間の信号のやり取りは、前述したＵＳＢ３０２１又はＩＥＥＥ１２８４バス３０２２を介して行われる。
【００２０】
図４は、ＡＳＩＣ３００１の構成を示すブロック図で、この図４においても、前述の図面と共通する部分は同じ記号を付与して、それらの説明を省略する。
【００２１】
４００１はＰＣカードインターフェース部で、装着されたＰＣカード３０１１に記憶されている画像データを読取ったり、或いはＰＣカード３０１１へのデータの書き込み等を行う。４００２はＩＥＥＥ１２８４インターフェース部で、プリンタエンジン３００４との間のデータのやり取りを行う。このＩＥＥＥ１２８４インターフェース部４００２は、デジタルカメラ３０１２或いはＰＣカード３０１１に記憶されている画像データを印刷する場合に使用されるバスである。４００３はＵＳＢインターフェース部で、ＰＣ３０１０との間でのデータのやり取りを行う。４００４はＵＳＢホストインターフェース部で、デジタルカメラ３０１２との間でのデータのやり取りを行う。４００５は操作パネル・インターフェース部で、操作パネル１０１０からの各種操作信号を入力したり、表示部１００６への表示データの出力などを行う。４００６はビューワ・インターフェース部で、ビューワ１０１１への画像データの表示を制御している。４００７は各種スイッチやＬＥＤ４００９等との間のインターフェースを制御するインターフェース部である。４００８はＣＰＵインターフェース部で、ＤＳＰ３００２との間でのデータのやり取りの制御を行っている。４０１０はこれら各部を接続する内部バス（ＡＳＩＣバス）である。
【００２２】
以上の構成に基づく動作概要を以下に説明する。
【００２３】
＜通常のＰＣプリンタモード＞
これはＰＣ３０１０から送られてくる印刷データに基づいて画像を印刷する印刷モードである。
【００２４】
このモードでは、ＰＣ３０１０からのデータがＵＳＢコネクタ１０１３（図３）を介して入力されると、ＵＳＢハブ３００８、ＵＳＢ３０２１を介して直接プリンタエンジン３００４に送られ、ＰＣ３０１０からのデータに基づいて印刷が行われる。
【００２５】
＜ＰＣカードからの直接プリントモード＞
ＰＣカード３０１１がカードスロット１００９に装着或いは脱着されると割り込みが発生し、これによりＤＳＰ３００２はＰＣカード３０１１が装着されたか或いは脱着（取り外された）されたかを検知できる。ＰＣカード３０１１が装着されると、そのＰＣカード３０１１に記憶されている圧縮された（例えばＪＰＥＧ圧縮）画像データを読込んでメモリ３００３に記憶する。次に操作パネル１０１を使用して、その格納した画像データの印刷が指示されると、圧縮された画像データを解凍してメモリ３００３に格納し、ＲＧＢ信号からＹＭＣＫ信号への変換、ガンマ補正、誤差拡散等を実行してプリンタエンジン３００４で印刷可能な記録データに変換し、ＩＥＥＥ１２８４インターフェース部４００２を介してプリンタエンジン３００４に出力することにより印刷を行う。
【００２６】
＜カメラからの直接プリントモード＞
図５は本実施の形態に係るＰＤプリンタ装置１０００とデジタルカメラ３０１２との接続を説明する図である。
【００２７】
図において、ケーブル５０００は、ＰＤプリンタ装置１０００のコネクタ１０１２と接続されるコネクタ５００１と、デジタルカメラ３０１２の接続用コネクタ５００３と接続するためのコネクタ５００２とを備えており、また、デジタルカメラ３０１２は、内部のメモリに保存している画像データを、接続用コネクタ５００３を介して出力可能に構成されている。なお、デジタルカメラ３０１２の構成としては、内部に記憶手段としてのメモリを備えるものや、取外し可能なメモリを装着するためのスロットを備えたものなど、種々の構成を採用することができる。このように、図５に示すケーブル５０００を介してＰＤプリンタ装置１０００とデジタルカメラ３０１２とを接続することにより、デジタルカメラ３０１２からの画像データを直接ＰＤプリンタ装置１０００で印刷することができる。
【００２８】
ここで図５に示すように、ＰＤプリンタ装置１０００にデジタルカメラ３０１２が接続された場合は、操作パネル１０１０の表示部１００６にはカメラマークのみが表示され、操作パネル１０１０における表示及び操作が無効になり、又ビューワ１０１１への表示も無効になる。従って、これ以降はデジタルカメラ３０１２でのキー操作及びデジタルカメラ３０１２の表示部（不図示）への画像表示のみが有効になるので、ユーザはそのデジタルカメラ３０１２を使用して印刷指定を行うことができる。
【００２９】
本実施の形態では、複数のメーカのデジタルカメラを接続してプリントすることができるＰＤプリンタ装置を提供することを目的とし、本実施の形態に係るＰＤプリンタ装置１０００とデジタルカメラとを接続してプリントを行なう場合の通信規約について詳しく説明する。
【００３０】
本実施の形態においては、ＰＤプリンタ装置１０００とデジタルカメラ３０１２との間の通信制御を汎用ファイル、汎用フォーマットを用いて行い、インターフェースに依存しないＮＣＤＰ（New Camera Direct Print）を提案する。
【００３１】
図６は、このＮＣＤＰの構成の一例を示す図である。
【００３２】
図において、６００はＵＳＢによるインターフェース、６０１はブルーツース（Bluetooth）によるインターフェースを示している。６０２はＮＣＤＰによるシステムを構築する際に組込まれるアプリケーションレイヤを示している。６０３は既存のプロトコル及びインターフェースを実行するためのレイヤで、ここではＰＴＰ（Picture Transfer Protocol），ＳＣＳＩ及びブルーツースのＢＩＰ（Basic Image Profile），ＵＳＢインターフェース等が実装されている。本実施の形態に係るＮＣＤＰは、このようなプロトコルレイヤ等のアーキテクチャが実装されていて、その上にアプリケーションとして実装されることが前提である。ここではＰＤプリンタ装置１０００は、ＵＳＢホスト、カメラ３０１２はＵＳＢスレーブとして規定されており、図６に示すように、それぞれ同じＮＣＤＰ構成となっている。
【００３３】
図７は、本実施の形態に係るＮＣＤＰによる、ＰＤプリンタ装置１０００とデジタルカメラ（ＤＳＣ）３０１２との間での通信手順の流れを説明する図である。
【００３４】
ここでは、図５に示すようにＵＳＢケーブル５０００によりＰＤプリンタ装置１０００とＤＳＣ３０１２とが接続されたことが検知されると、これら機器間での通信が可能になる。これにより、これら機器に実装されているアプリケーションが実行されてＮＣＤＰによる手順７０１への移行が開始される。７０２はＮＣＤＰの初期状態を示し、ここでは互いの機種がＮＣＤＰを実行可能かどうかを判断し、可能であればＮＣＤＰによる手順７０１に移行している。もしここで、ＤＳＣ３０１２がＮＣＤＰを実装していない場合には、ＮＣＤＰによる通信制御は実行されない。こうしてＮＣＤＰに移行した後、７０３で示すように、ＤＳＣ３０１２から「基本手順」による画像データの転送／印刷が指示されると、ＤＳＣ３０１２から画像ファイルをＰＤプリンタ装置１０００に転送して印刷する簡易印刷モードに移行する。また７０４で示すように、ＤＳＣ３０１２から「推奨手順」による画像データの転送／印刷が指示されると、ＤＳＣ３０１２とＰＤプリンタ装置１０００との間で各種ネゴシエーションを行ってその印刷条件等を決定した後、画像ファイルをＤＳＣ３０１２からＰＤプリンタ装置１０００に転送して印刷する、より多彩な印刷モードに移行する。また７０５は「拡張手順」による指示がＤＳＣ３０１２によりなされると、例えばＤＰＯＦ，ＸＨＴＭＬ-print，ＳＶＧ等の高度レイアウト機能、及び各社ベンダーユニークな仕様での印刷を行うモードが設定される。尚、この「拡張手順」による詳細仕様に関しては、ＤＳＣのメーカ各社個別の拡張仕様書で規定されるので、ここでは特に説明しない。尚、これら「基本手順」及び「推奨手順」による画像印刷に関しては、図９乃至図１１を参照して後述する。
【００３５】
図８は、本実施の形態に係るＮＣＤＰにおいてプリントを行うために規定したコマンドを説明する図である。
【００３６】
図８において、「対応モード」はＤＳＣ３０１２から指示される、前述した「基本手順」、「推奨手順」及び「拡張手順」に対応している。「推奨手順」では全てのコマンドが使用できるのに対し、「基本手順」は簡易印刷モードであるため、ＮＣＤＰへの移行及びその終了、「基本手順」、「推奨手順」及び「拡張手順」の各モードへの移行コマンド及びカメラ３０１２からの画像データの取得及びカメラ３０１２よりの印刷命令のみが使用可能である。尚、「拡張手順」では、ＮＣＤＰへの移行及びその終了、「基本手順」、「推奨手順」及び「拡張手順」の各モードへの移行コマンドだけが用いられるように記載されているが、前述のように、各社の仕様に応じて他のコマンドが用いられても良いことはいうまでもない。例えば「拡張手順」においても「推奨手順」と同様にCapabilityコマンドを使用し、そのCapability内容に「拡張手順」に固有なベンダーユニークなパラメータ種類やパラメータ値が用いられている、という形態でも良い。
【００３７】
以下、前述した「基本手順」及び「推奨手順」による画像印刷について説明する。
【００３８】
図９は、「基本手順」による画像印刷を行う場合のＮＣＤＰの通信手順を説明する図である。この「基本手順」は、ＤＳＣ３０１２からＰＤプリンタ装置１０００に対して、１回のプリント命令毎に、印刷条件を設定しなくても１枚の画像ファイルを転送して印刷するだけの簡易印刷モードである。従って、画像の色補正やデータ変換などのプリント条件は、ＰＤプリンタ装置１０００が決定する。これに対応している画像フォーマットとしては、例えばＶＧＡサイズ（６４０×４８０画素）のＲＧＢ画像、ＶＧＡサイズ（６４０×４８０画素）のＪＰＥＧ画像とし、画像ファイルサイズとしては約１Ｍバイト以下としている。ＤＳＣ３０１２はＰＤプリンタ装置１０００がサポートしている画像フォーマットで送信する。この場合はエラーハンドリグは実行しない。
【００３９】
まず９００で、ＰＤプリンタ装置１０００からＤＳＣ３０１２に対してＮＣＤＰへの移行を指示するコマンド（NCDPStart）を送信する。ここでＤＳＣ３０１２がＮＣＤＰを実装していればＯＫが返送される（９０１）。尚、このＮＣＤＰの確認手順を行う場合の一例としてＰＴＰを用いた場合の具体例に関しては、図１４を参照して詳しく後述する。
【００４０】
こうして互いにＮＣＤＰが実装されていることが確認されると、ＰＤプリンタ装置１０００からＮＣＤＰモードに移行するように命令（ProcedureStart）がＤＳＣ３０１２に送信される（９０２）。これに対して９０３で、ＤＳＣ３０１２から簡易印刷モードである「基本手順」が送られてくると、これ以降は「基本手順」による印刷モードに移行する。この場合は、ＤＳＣ３０１２における操作により、印刷したい画像が選択されて印刷が指示されると、印刷の開始を指示するコマンド（JobStart）がＤＳＣ３０１２からＰＤプリンタ装置１０００に送られる（９０４）。これによりＰＤプリンタ装置１０００は簡易印刷モードとなり、ＤＳＣ３０１２に対してコマンド（GetImage）を送信してＪＰＥＧ画像を要求する（９０５）。これによりＤＳＣ３０１２からＪＰＥＧ画像（Image Data）がＰＤプリンタ装置１０００に送信され（９０６）、ＰＤプリンタ装置１０００における印刷処理が開始される。こうして、指示された画像の印刷が終了すると、印刷ジョブの終了を示すコマンド（JobEnd）がＰＤプリンタ装置１０００からＤＳＣ３０１２に送信される（９０７）。これに対してＤＳＣ３０１２から肯定応答（ＯＫ）が返送されると（９０８）、この「基本手順」による印刷処理が完了する。この「基本手順」は単純に画像指定情報のやり取りをすることが前提であるので、この「基本手順」でプリントすることが決まったら、後述のcapability情報の交換を行うことなく、直にプリント可能状態にすることができる。但し、この「基本手順」でやり取りするかどうかを、ＤＳＣとＰＤプリンタ装置の双方のCapabilityにより決定するようにしても良い。
【００４１】
本実施の形態においては「基本手順」「推奨手順」「拡張手順」のうち、ＰＤプリンタ装置１０００がいずれをサポートしているかをＤＳＣ３０１２が取得すると記載されているが、必ずしもこの方法に限るわけではなく、ＰＤプリンタ装置１０００の機種名やベンダー名等のプリンタ情報に基づいてＤＳＣ３０１２が適当な手順を選択する方法等を用いても良い。例えばＤＳＣ３０１２が「推奨手順をサポートしているプリンタの機種名リスト」を保持し、接続されたプリンタの機種名がリスト中にあった場合には推奨手順を選択し、リストに無かった場合には基本手順を選択する、としても良い。
【００４２】
図２５は「ProcedureStart」コマンド時に、ＰＤプリンタ装置１０００からＤＳＣ３０１２に送られるスクリプトにプリンタのベンダー名及びプリンタ機種名が記載されている例、及び図２６は、それに引き続いてＤＳＣ３０１２からＰＤプリンタ装置１０００に送られるスクリプトにＤＳＣ３０１２のベンダー名及びＤＳＣ３０１２の機種名が記載されている例をそれぞれ示す図である。
【００４３】
また、本実施の形態においては「基本手順」においてJobStartコマンドは、画像の印刷のみを指定しており、画像フォーマットやファイルサイズは、固定的に決められているものとして説明している。これはCapability情報の送受信を行わなくてもプリントできるようにするためである。但し、このCapabilityの送受信を行わない場合であっても、画像フォーマットやプリントサイズ等の印刷条件を指定することは可能である。例えば、上記画像フォーマット等と同様に「プリンタ側が必ずサポートしている」又は「プリンタ側が自分のCapabilityに応じて適宜処理をする」という事が予めＰＤプリンタ装置１０００或いはＤＳＣ３０１２で了解されている項目等については、ＤＳＣ３０１２側がJobStartコマンド中で指定しても良い。このような構成にするためには、後述する「NCDPStart」で、お互いの機器情報を交換して、所定の機器である場合にのみ、Capability情報が無くても、印刷条件をプリントjob（script）の中で指定可能とするように処理を切替るのが好ましい。しかし、なるべく面倒な設定を省くための「基本手順」は、初心者のための操作手順を用意しておくために重要である。
【００４４】
図２７は、「基本手順」時にJobStartコマンドで、ＤＳＣ３０１２からＰＤプリンタ装置１０００に送られるスクリプトにCapabilityに関する設定が一切されていない例を示す図、及び図２８は「基本手順」時にJobStartコマンドでＤＳＣ３０１２からＰＤプリンタ装置１０００に送られるスクリプトに「プリンタ側が必ずサポートしている」、又は「プリンタ側が自分のCapabilityに応じて適宜処理をする」という事が予めＰＤプリンタ装置１０００とＤＳＣ３０１２との間で了解されている項目に関する設定がされている例を示す図である。
【００４５】
図１０は、「推奨手順」による画像印刷を行う場合のＮＣＤＰの通信手順を説明する図で、前述の図９と共通する手順には同じ番号を付して、その説明を省略する。この「推奨手順」では、ＰＤプリンタ装置１０００とＤＳＣ３０１２との間でのネゴシエーションを前提とした「より多彩な印刷」モードが設定でき、１回の印刷指示で複数枚の写真印刷が可能になる。更に、ＤＳＣ３０１２からＰＤプリンタ装置１０００へプリント条件の情報をスクリプト（text）で送信するので、色設定やレイアウト印刷等の多くの印刷条件を反映させた印刷が可能になる。エラーハンドリングも実行可能となる。
【００４６】
図１０において、図９の場合と同様にして、互いにＮＣＤＰが実装されていることを確認した後、この場合では、ＤＳＣ３０１２から「推奨手順」が指示される（９１０）。この後はこの「推奨手順」による手順が実行される。まず９１１で示すように、ＰＤプリンタ装置１０００は、自機の備えている機能及び用紙設定等を含む機能をCapability情報として全てＤＳＣ３０１２に伝える。このCapability情報は、スクリプト形式（テキスト）でＤＳＣ３０１２に送信される。
【００４７】
このCapability情報の一例を図１２に示す。
【００４８】
図１２に示すように、このCapability情報は、印刷可能な用紙の種類及びサイズ、印刷品位、画像データのフォーマット、日付印刷の有無、ファイル名印刷の有無、レイアウト、画像補正の有無、更にはオプションとして、各カメラメーカの仕様に対応した機能の有無等の情報を含んでいる。
【００４９】
このようにCapability情報をスクリプト表記とすることにより、他の通信プロトコルのアーキテクチャへの移植を簡単にし、このような機能情報のやり取りを、より標準化し易くしている。尚、このスクリプト表記はＸＭＬ準拠であっても良い。
【００５０】
このようなCapability情報を受信したＤＳＣ３０１２のユーザは、そのＰＤプリンタ装置１０００が備えている機能の内のいずれを使用して印刷を行うかを判定し、印刷したい画像を選択すると共に、その画像の印刷条件をそのＰＤプリンタ装置１０００の有している機能の中から選択して決定する。こうして印刷したい画像及び印刷条件などが決定されて印刷開始が指示されると、プリント命令（JobStart）がＰＤプリンタ装置１０００に送られる。このStartJobの一例を図２９に示す。これによりＰＤプリンタ装置１０００から、その画像データを要求するコマンド（GetImage xn）が発行され（９１２）、それに応答してＤＳＣ３０１２から、対応する画像データ（ImageData）が、ＰＤプリンタ装置１０００が受信可能な画像フォーマット（Ｔｉｆｆ，ＪＰＥＧ，ＲＧＢなど）で送信される（９１３）。ここで１枚の画像印刷に対して複数の画像データを送信できるようになっているのは、例えば２×２等のレイアウト印刷が指定されている場合は、１枚の用紙に対して４枚分の画像データを送信する必要があるためである。こうして、指示された画像の印刷が終了すると印刷ジョブの終了を示すコマンド（JobEnd）がＰＤプリンタ装置１０００からＤＳＣ３０１２に送信される（９０７）。これに対してＤＳＣ３０１２から肯定応答（ＯＫ）が返送されると（９０８）、再び、この「推奨手順」による、次に画像の選択・印刷処理に移行する。
【００５１】
本実施の形態では、ＤＳＣ３０１２からの要求が無くても、Capability情報をPrinterが発行してDSCへ通達しているが、この形態に限るわけではなく、DSC側からCapabilityをPrinterに対して要求し、その応答としてPrinterがCapabilityをDSC側へ通達する、という様な他の形態であっても良い。このような観点で本実施の形態を見た場合、
・「推奨手順への移行」を通達するProcedureStartコマンドを受信したことに応じてCapabilityを送信するので、「ProcedureStart」コマンドが、「Capability request」と同様の意味合いを持つ。
・Capability情報は、「Capability request」としての「ProcedureStart」コマンドの応答として送信される。
【００５２】
図１１は、前述の「推奨手順」による画像印刷を行う場合のＮＣＤＰの通信手順において、ＰＤプリンタ装置１０００でエラーが発生した場合の通信手順を説明する図で、前述の図１０と共通する手順には同じ番号を付して、その説明を省略する。
【００５３】
この例では、「推奨手順」での印刷処理の実行中に、ＰＤプリンタ装置１０００において給紙エラーが発生した場合の例を示している。この場合には９１４で、ＰＤプリンタ装置１０００からＤＳＣ３０１２に対して給紙エラーを示すステータス情報（Status）が送信される。これに対してＤＳＣ３０１２のユーザによる判断に基づいて、その印刷処理を継続するか（JobContinue）、中止するか（JobAbort）を示すコマンドがＰＤプリンタ装置１０００に送信される（９１５）。これによりＰＤプリンタ装置１０００では、中止の場合はその印刷処理を中止してプリントジョブの終了通知（JobEnd）を送信して印刷を中止する。或いは継続が指示された場合には、その給紙エラーの修復を待って、印刷処理を継続するように動作する。
【００５４】
次に、前述した処理手順を図１３のフローチャートを参照して説明する。
【００５５】
図１３は、図７に示す処理手順を説明するフローチャートである。
【００５６】
まずステップＳ１で、デジタルカメラ（ＤＳＣ）３０１２とＰＤプリンタ装置１０００との間の通信を確立し（７００）、ステップＳ２で、これら機器がＮＣＤＰを実装済みかどうかを判定し、実装済みであればＮＣＤＰに移行する。次にステップＳ３に進み、ＤＳＣ３０１２からの手順指示を受信して、その指示された手順に移行する。ここで「基本手順」が指示された時はステップＳ４からステップＳ５に進み、「基本手順」による印刷処理を実行する。また「推奨手順」が指示された時はステップＳ６からステップＳ７に進み、前述した「推奨手順」による印刷処理を実行する。更に「拡張手順」が指示された時はステップＳ８からステップＳ９に進み、各ベンダーに応じた「拡張手順」による印刷処理を実行する。それ以外の場合はステップＳ１０に進み、このＰＤプリンタ装置１０００とＤＳＣ３０１２とによる独自のモードでの印刷を実行する。
【００５７】
本実施の形態の図１３中では、NCDPモードから「基本手順」「推奨手順」「拡張手順」「独自モード」へ遷移する形態を記述したが、他にもNCDPモードへ移行すると同時に「基本手順」選択状態となってすぐにJobStartを受け付けられる状態へとなり、その後、ＤＳＣ３０１２若しくはＰＤプリンタ装置１０００からの要請に従って他の手順、モードへと遷移する形態としても良い。
【００５８】
このように構成した場合には、プリント可能な状態に移行することを優先することができる。つまり、難しい設定が分からない初心者にとっては、面倒な設定を行わずに早く印刷したいという要求に応えることができる。一方、上記の手順の切り替えを認識可能な上級者であれば、手順の切り替え操作などを行って、より詳細な印刷条件の設定を行うことができる。このようにしてユーザの習得レベルに合わせたシステムを設計することができる。
【００５９】
次に上述したＮＣＤＰにおける各種コマンド（図８）を、汎用のＰＴＰを用いて実現した（ＰＴＰによるラッパー）例を説明する。尚、本実施の形態では、ＰＴＰを用いたＮＣＤＰの場合で説明するが本発明はこれに限定されるものではなく、例えば、他のインターフェース、他のクラス（Class）上でダイレクトプリントサービスＡＰＩを実装しても良い。
【００６０】
［NCDPStart］
図１４は、ＮＣＤＰ手順の開始を指示する命令（NCDPStart）をＰＴＰアーキテクチャを用いて実現した例を説明する図である。
【００６１】
ＰＤプリンタ装置１０００とＤＳＣ３０１２とが物理的に接続された後、まず１４００で、ＰＤプリンタ装置１０００からＤＳＣ３０１２に対してGetDeviceInfoが送信され、ＤＳＣ３０１２に対して、その保持しているオブジェクトに関する情報が要求される。これに対してＤＳＣ３０１２は、DeviceInfo Datasetにより、ＤＳＣ３０１２に保持しているオブジェクトに関する情報をＰＤプリンタ装置１０００に送信する。次に１４０２で、OpenSessionにより、ＤＳＣ３０１２をリソースとして割り当て、必要に応じてデータオブジェクトにハンドルをアサインしたり、特別な初期化を行うための手順の開始要求が発行される。これに対してＤＳＣ３０１２から肯定応答（ＯＫ）が返送されるとＰＴＰでの通信が開始される。次に１４０３で、ＤＳＣ３０１２に対してGetObjectHandlesを送信して、スクリプト形式の全てのハンドルを要求する（Storage ID: FFFFFF, Object Type: Script）と、これに対して１４０４で、ＤＳＣ３０１２に保持されている全てのハンドルリスト（ObjectHandleArray）が返送される。次に１４０５，１４０６において、ＰＤプリンタ装置１０００からｉ番目のオブジェクトハンドルの情報を取得する。ここで、このオブジェクトに、ＤＳＣ３０１２の識別を示すキーワード（例えば合言葉「山」）が含まれていると、次に１４０７において、ＰＤプリンタ装置１０００からＤＳＣ３０１２に対してオブジェクト情報の送信を指示して（SendObjectInfo）、それに対して肯定応答（ＯＫ）を受信すると、SendObjectにより、オブジェクト情報をＰＤプリンタ装置１０００からＤＳＣ３０１２に対して送信する。ここで、このオブジェクトには、前述のキーワードに対する応答キーワード（合言葉）として例えば「川」が含まれている。
【００６２】
このようにして、ＰＤプリンタ装置１０００とＤＳＣ３０１２の双方が互いに接続相手を認識できることになり、これ以降はＮＣＤＰによる手順（図７の７０１）に移行することができる。このようにファイルの受渡しができるトランスポートレイヤーであればキーワードの受渡しを確実に行うことができる。即ち、本実施の形態のＮＣＤＰにユニークなコマンド等を追加することなく、ＰＴＰアーキテクチャを使用してキーワードを交換することができる。尚、ここでキーワードとしては、上述の例に限定されるものでなく、ＤＳＣ３０１２とＰＤプリンタ装置１０００とが同じキーワードを使用してもよい。またこのキーワードによるネゴシエーションを行う時間を短縮するために、スクリプト形式のハンドルの最初にこのキーワードを入れておくことにより、互いの機器を確認するのに要する時間を短縮できる。
【００６３】
［ProcedureStart］
図１５は、ＤＳＣ３０１２からの、ＮＣＤＰでの印刷モードへの移行手順を指示する命令を受信して、ＰＤプリンタ装置１０００からＤＳＣ３０１２に対して、そのモードに移行するための命令（ProcedureStart）（９０２）をＰＴＰアーキテクチャを用いて実現した例を説明する図である。
【００６４】
ここではまず１５０１で、ＰＤプリンタ装置１０００がサポートしている手続「基本手順」、「推奨手順」、「拡張手順」をＤＳＣ３０１２に通知するためにSendObjectInfoにより、ＤＳＣ３０１２に対して送信したいオブジェクト情報があることを伝える。これに対して肯定応答（ＯＫ）がＤＳＣ３０１２から送られてくると、１５０２でSendObjectにより、オブジェクトを送信する旨をＤＳＣ３０１２に伝え、次の１５０３のObjectDataで、このＰＤプリンタ装置１０００がサポートしている手続に関する情報を送信する。次に１５０４で、ＤＳＣ３０１２からＰＤプリンタ装置１０００に対して、GetObject動作を起動したい（プッシュモードに移行）旨を伝える（RequestObjectTransfer）。これにより１５０５で、ＰＤプリンタ装置１０００からオブジェクト情報に関する情報を受信する旨が伝えられると（GetObjectInfo）、１５０６で、ObjectInfo Datasetにより、その情報がＰＤプリンタ装置１０００に返送される。次に１５０７で、ＰＤプリンタ装置１０００からそのオブジェクト情報を指定してオブジェクト情報そのものを要求すると、Object Datasetにより、ＤＳＣ３０１２が使用する手続（「基本」、「推奨」、「拡張」等）をＰＤプリンタ装置１０００に知らせる（１５０８）。
【００６５】
これにより、ＤＳＣ３０１２からＰＤプリンタ装置１０００に対して、画像の印刷モードを指定することができる。
【００６６】
［NCDPEnd］
図１６は、本実施の形態に係るＮＣＤＰにおける通信制御手順を終了する命令（NCDPEnd）をＰＴＰアーキテクチャを用いて実現した例を説明する図である。
【００６７】
この手順では、１６００において、ＰＤプリンタ装置１０００からＤＳＣ３０１２に対して送信したいオブジェクト情報があることを伝え（SendObjectInfo）、SendObjectによりＤＳＣ３０１２に対してオブジェクト情報の伝送を伝え、続くObjectDataにより、ＤＳＣ３０１２に対してＮＣＤＰのモードから抜けることを通知する。これに対して肯定応答（ＯＫ）を受信すると、１６０１でCloseSessionを送信して、この通信を終了させる。これによりＮＣＤＰによる通信手順を終了する。
【００６８】
［Capability］
図１７は、本実施の形態に係るＮＣＤＰにおける、ＰＤプリンタ装置１０００の機能をＤＳＣ３０１２に通知するCapability命令における通信手順をＰＴＰアーキテクチャを用いて実現した例を説明する図である。
【００６９】
この手順では、１７００において、ＰＤプリンタ装置１０００からＤＳＣ３０１２に対して送信したいオブジェクト情報があることをSendObjectInfoにより伝える。そして１７０１で、SendObjectによりＤＳＣ３０１２に対してオブジェクト情報の伝送を伝え、続くObject Dataにより、ＰＤプリンタ装置１０００が有している機能をスクリプト（Script）形式（図１２）でＤＳＣ３０１２に送信する。
【００７０】
［GetImage］
図１８は、本実施の形態に係るＮＣＤＰにおける、ＰＤプリンタ装置１０００がＤＳＣ３０１２に保持されている画像データ（ＪＰＥＧ画像）を取得する（GetImage）通信手順をＰＴＰアーキテクチャを用いて実現した例を説明する図である。
【００７１】
まず１８００で、ＤＳＣ３０１２が保持しているオブジェクトに関する情報をＰＤプリンタ装置１０００から要求されると、１８０１で、そのオブジェクトに関する情報（ObjectInfo Dataset）がＤＳＣ３０１２からＰＤプリンタ装置１０００に送られる。次に、１８０２で、そのオブジェクトを指定して取得要求（GetObject）を発行すると、１８０３で、その要求された画像ファイル（Object Dataset）がＤＳＣ３０１２からＰＤプリンタ装置１０００に対して送信される。この様にしてＰＤプリンタ装置１０００は、ＤＳＣ３０１２から所望の画像ファイルを取得することができる。
【００７２】
［StatusSend］
図１９は、本実施の形態に係るＮＣＤＰにおける、ＰＤプリンタ装置１０００からＤＳＣ３０１２に対してエラー状態などを通知する（StatusSend）通信手順をＰＴＰアーキテクチャを用いて実現した例を説明する図である。
【００７３】
まず１９００で、ＰＤプリンタ装置１０００からＤＳＣ３０１２に対して送信したいオブジェクト情報がある旨をSendObjectInfoにより通知する。そして１９０１で、そのオブジェクト情報に関する情報セット（ObjectInfo Dataset）をＤＳＣ３０１２に送信し、ＤＳＣ３０１２からの肯定応答（ＯＫ）に対して、ＰＤプリンタ装置１０００におけるエラー等のステータス情報をSendObjectおよびObject Datasetにより送信する。ここでＰＤプリンタ装置１０００からＤＳＣ３０１２に送られるDataは、テキスト形式のデータ（Script）である。
【００７４】
［PageEnd］
図２０は、本実施の形態に係るＮＣＤＰにおける、ＰＤプリンタ装置１０００からＤＳＣ３０１２に対して、１ページのプリント処理が終了したことを通知する（PageEnd）通信手順をＰＴＰアーキテクチャを用いて実現した例を説明する図である。
【００７５】
［JobEnd］
図２１は、本実施の形態に係るＮＣＤＰにおける、ＰＤプリンタ装置１０００からＤＳＣ３０１２に対して、プリントジョブが終了したことを通知する（JoeEnd）通信手順をＰＴＰアーキテクチャを用いて実現した例を説明する図である。
【００７６】
図２０，図２１においては、図１９の１９００乃至１９０１の手順実行後、図２０の１９１０で、ＰＤプリンタ装置１０００からＤＳＣ３０１２に対して１ページの印刷処理が終了したことが通知される。また図２１の１９１１では、ＰＤプリンタ装置１０００からＤＳＣ３０１２に対して印刷ジョブが終了したことが通知される。ここでＰＤプリンタ装置１０００からＤＳＣ３０１２に送信されるData（ページエンド、ジョブエンド）は、テキスト形式のデータ（Script）である。
【００７７】
［JobStart］
図２２は、本実施の形態に係るＮＣＤＰにおける、ＤＳＣ３０１２からＰＤプリンタ装置１０００に対して、プリントジョブの開始を通知する（JobStart）通信手順をＰＴＰアーキテクチャを用いて実現した例を説明する図である。
【００７８】
まず２２００において、ＤＳＣ３０１２からＰＤプリンタ装置１０００に対してRequestObjectTransferを送り、ＰＤプリンタ装置１０００がGetObjectコマンドを発行するように促す。これにより２２０１で、ＰＤプリンタ装置１０００からGetObjectInfoが発行されると、ＤＳＣ３０１２は送信したいオブジェクト情報に関する情報を送信し、これに対してＰＤプリンタ装置１０００からオブジェクト情報が要求されると（GetObject：２２０３）、２２０４で、Object Datasetを送信して、ＤＳＣ３０１２からＰＤプリンタ装置１０００に対して印刷命令を発行する。ここでＤＳＣ３０１２からＰＤプリンタ装置１０００に送信されるData（印刷開始命令）は、テキスト形式のデータ（Script）である。
【００７９】
［JobAbort］
図２３は、本実施の形態に係るＮＣＤＰにおける、ＤＳＣ３０１２からＰＤプリンタ装置１０００に対してプリント中止命令を発行する（JobAbort）通信手順をＰＴＰアーキテクチャを用いて実現した例を説明する図である。
【００８０】
［JobContinue］
図２４は、本実施の形態に係るＮＣＤＰにおける、ＤＳＣ３０１２からＰＤプリンタ装置１０００に対してプリント再開命令を発行する（JobContinue）通信手順をＰＴＰアーキテクチャを用いて実現した例を説明する図である。
【００８１】
図２３及び図２４において、図２２の２２００乃至２２０３の手順を実行した後、図２３の２３０１で、ＤＳＣ３０１２からＰＤプリンタ装置１０００に対して印刷中止命令が発行され、図２４の２４０１では、ＤＳＣ３０１２からＰＤプリンタ装置１０００に対して印刷再開命令が通知される。ここでＤＳＣ３０１２からＰＤプリンタ装置１０００に送信されるData（印刷中止命令、印刷再開命令）は、テキスト形式のデータ（Script）である。
【００８２】
なお本発明は、複数の機器（例えばホストコンピュータ、インターフェース機器、リーダ、プリンタなど）から構成されるシステムに適用しても、一つの機器からなる装置（例えば、複写機、ファクシミリ装置など）に適用してもよい。
【００８３】
また、本発明の目的は、前述した実施形態の機能(カメラ側で行われる処理、プリンタ側で行われる各種印刷処理)を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれる。
【００８４】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれる。
【００８５】
以上説明したように本実施の形態によれば、ＰＤプリンタ装置をＵＳＢホストにＤＳＣをスレーブに設定し、印刷動作に入る前に、ＰＤプリンタ装置が有しているCapabilityに関する情報をＤＳＣに送信し、ＤＳＣ側でそのCapability情報に基づいて最適な印刷モードを決定して印刷を行わせることができる。
【００８６】
またこのCapability情報の送信をスクリプトにより行うことにより、他の通信プロトコルへの移植が容易になり、標準化し易くなる。
【００８７】
また、デバイス間の通信手順は汎用ファイル、汎用フォーマットを用いて行い、その上位レイヤに、本実施の形態に係るアプリケーションの通信手順レイヤを規定することにより、各種インターフェース仕様に依存しない通信手順を規定することができる。
【００８８】
また、本実施の形態の印刷システムでは、不特定多数の装置同士が接続されるため、それらインターフェースも様々多様である。よって、各種インターフェースで標準にサポートされている仕様で情報をやり取りする必要が生じる。従って、これら装置間での送受信において必須となる機能情報は「ファイル転送」もしくは「オブジェクト転送」で実現させることにより、各種インターフェース仕様に容易に適合できるようにしている。
【００８９】
尚、画像供給デバイスとしてはデジタルカメラ以外にも、ＰＤＡや携帯電話、テレビジョン、ビデオ機器、画像記憶デバイス等が考えられる。
【００９０】
また、汎用インターフェースには、上述のＵＳＢやＩＥＥＥ１３９４等に加えてインターネット等のネットワークへの接続も含まれる。
【図１】
2011005863.tif 000003
【図２】
2011005863.tif 000004
【図３】
2011005863.tif 000005
【図４】
2011005863.tif 000006
【図５】
2011005863.tif 000007
【図６】
2011005863.tif 000008
【図７】
2011005863.tif 000009
【図８】
2011005863.tif 000010
【図９】
2011005863.tif 000011
【図１０】
2011005863.tif 000012
【図１１】
2011005863.tif 000013
【図１２】
2011005863.tif 000014
【図１３】
2011005863.tif 000015
【図１４】
2011005863.tif 000016
【図１５】
2011005863.tif 000017
【図１６】
2011005863.tif 000018
【図１７】
2011005863.tif 000019
【図１８】
2011005863.tif 000020
【図１９】
2011005863.tif 000021
【図２０】
2011005863.tif 000022
【図２１】
2011005863.tif 000023
【図２２】
2011005863.tif 000024
【図２３】
2011005863.tif 000025
【図２４】
2011005863.tif 000026
【図２５】
2011005863.tif 000027
【図２６】
2011005863.tif 000028
【図２７】
2011005863.tif 000029
【図２８】
2011005863.tif 000030
【図２９】
2011005863.tif 000031